(57)【要約】      （修正有）【課題】使用時の良好な摺動性を長期間維持し、液体漂白剤組成物、特に、過酸化水素、界面活性剤及び水を含有する液体漂白剤組成物を安定して吐出させることが可能な液体漂白剤物品を提供する。【解決手段】（ａ）過酸化水素、（ｂ）界面活性剤、及び（ｃ）水を含有する液体漂白剤組成物（イ）を、構成部材同士の摺動部と構成部材の嵌合部とを有する吐出手段を備えた吐出容器（ロ）に収納した液体漂白剤物品であって、前記摺動部及び前記嵌合部に、（Ａ）特定の長鎖アルキル変性シリコーン及び／又は（Ｂ）特定の長鎖アルキルアラルキル共変性シリコーンが塗布されている液体漂白剤物品。【選択図】なし【特許請求の範囲】
【請求項１】
（ａ）過酸化水素、（ｂ）界面活性剤、及び（ｃ）水を含有する液体漂白剤組成物（イ）を、内容物の吐出手段を備えた吐出容器（ロ）に収納した液体漂白剤物品であって、
前記吐出容器（ロ）において構成部材同士が摺動する面と、前記吐出容器（ロ）において嵌合する構成部材の少なくとも一面とに、（Ａ）下記一般式（１）で表される長鎖アルキル変性シリコーン及び／又は（Ｂ）下記一般式（２）で表される長鎖アルキルアラルキル共変性シリコーンが塗布されている液体漂白剤物品。
【化１】
2006299231.tif 000009
（式中、Ｒは炭素数１〜７の１価炭化水素基、Ｒ1は炭素数８〜２０のアルキル基、Ａは
Ｒ又はＲ1で表される基、ｎ／ｍは１〜５０である。）
【化２】
2006299231.tif 000010
（式中、Ｒは炭素数１〜７の１価炭化水素基、Ｒ1は炭素数８〜２０のアルキル基、Ｒ2は炭素数８〜２０のアラルキル基、ＢはＲ、Ｒ1又はＲ2で表される基、（ｐ＋ｑ）／ｒは１〜５０である。）
【請求項２】
前記（ｂ）界面活性剤の内、非イオン界面活性剤が５０質量％以上である請求項１記載の液体漂白剤物品。
【請求項３】
前記（ａ）過酸化水素／（ｂ）界面活性剤の質量比が３／１〜１／１０である請求項１又は２何れか記載の液体漂白剤物品。
【請求項４】
前記液体漂白剤組成物（イ）の２０℃における粘度が３〜１００ｍＰａ・ｓである請求項１〜３何れか記載の液体漂白剤物品。
【請求項５】
前記液体漂白剤組成物（イ）の２０℃におけるｐＨが７以下である請求項１〜４何れか記載の液体漂白剤物品。
【請求項６】
前記吐出容器（ロ）の吐出手段がトリガー式スプレイヤーである請求項１〜５何れか記載の液体漂白剤物品。
【請求項７】
前記吐出容器（ロ）において構成部材同士が摺動する面と、前記吐出容器（ロ）において嵌合する構成部材の少なくとも一面とが、共に、前記吐出手段に存在する請求項１〜６の何れか１項記載の液体漂白剤物品。
【請求項８】
前記吐出容器（ロ）において構成部材同士が摺動する面が、吐出操作に伴い摺動する構成
部材の面に存在する請求項７記載の液体漂白剤物品。
【請求項９】
（ａ）過酸化水素、（ｂ）界面活性剤、及び（ｃ）水を含有する液体漂白剤組成物（イ）を収納、吐出するための、吐出手段を備えた吐出容器（ロ）であって、
前記吐出容器（ロ）において構成部材同士が摺動する面と、前記吐出容器（ロ）において嵌合する構成部材の少なくとも一面とに、（Ａ）下記一般式（１）で表される長鎖アルキル変性シリコーン及び／又は（Ｂ）下記一般式（２）で表される長鎖アルキルアラルキル共変性シリコーンが塗布されている吐出容器。
【化３】
2006299231.tif 000011
（式中、Ｒは炭素数１〜７の１価炭化水素基、Ｒ1は炭素数８〜２０のアルキル基、Ａは
Ｒ又はＲ1で表される基、ｎ／ｍは１〜５０である。）
【化４】
2006299231.tif 000012
（式中、Ｒは炭素数１〜７の１価炭化水素基、Ｒ1は炭素数８〜２０のアルキル基、Ｒ2は炭素数８〜２０のアラルキル基、ＢはＲ、Ｒ1又はＲ2で表される基、（ｐ＋ｑ）／ｒは１〜５０である。）
【発明の詳細な説明】
【技術分野】
【０００１】
本発明は、吐出容器に液体漂白剤組成物を収容した液体漂白剤物品、及び液体漂白剤組成物を収容し吐出するための吐出容器に関する。
【背景技術】
【０００２】
液状物を吐出する吐出容器においては、収納部の開口部に、トリガー式スプレイヤー、ポンプ式スプレイヤー等の吐出手段が装着された吐出容器、ボトルをスクイズすることにより泡やシャワー状に液状物を吐出するスクイズ式吐出容器等多くのタイプの吐出容器がある。
【０００３】
上記のような吐出手段が装着された上述の吐出容器では、該吐出手段における、ピストン・シリンダー等の摺動部（内容物の吐出操作に伴い部材同士が摺動する部分）或いはポンプハウジングに対する通液体等の嵌合部に、組立時や使用時の摺動性を向上させる為の潤滑剤を塗布する必要がある。そして、この潤滑剤としては、温度に対する粘度変化の安定性、及び毒性のない安全性に優れている点で、シリコーンオイルが使用されている（特許文献１、２参照）。
【０００４】
一方、過酸化水素、界面活性剤及び水を含有する液体漂白剤組成物を吐出容器に収納した物品（特許文献３、４、５、６、７参照）が知られている。
【特許文献１】実開平７−３７４４号公報
【特許文献２】特開平８−１９６９７４号公報
【特許文献３】特開２００４−７６００６号公報
【特許文献４】特開平１１−１００５９４号公報
【特許文献５】特表平１１−５００７７８号公報
【特許文献６】特表平９−５０６１３０号公報
【特許文献７】特開平５−１５６２９３号公報
【発明の開示】
【発明が解決しようとする課題】
【０００５】
特許文献１、２のような吐出容器では、長期間使用すると、摺動部の摺動性が次第に低下する課題があった。特に、リフィール容器の普及にともない、液状物を収納部に再収納し、吐出手段は繰り返し使用する傾向にある昨今では、斯る課題は軽視できなくなってきている。このような摺動性の低下は、塗布した潤滑剤が少しずつ液状物に溶け出すために生じると考えられている。また、特許文献３〜７の液体漂白剤物品では、特に塗布した潤滑剤の液体漂白剤組成物への溶け出しが著しく、摺動部の摺動性が次第に低下する課題があった。
【０００６】
本発明の課題は、使用時の良好な摺動性を長期間維持し、液体漂白剤組成物、特に、過酸化水素、界面活性剤及び水を含有する液体漂白剤組成物を安定して吐出させることが可能な液体漂白剤物品、及び吐出容器を提供することにある。
【課題を解決するための手段】
【０００７】
本発明は、（ａ）過酸化水素、（ｂ）界面活性剤、及び（ｃ）水を含有する液体漂白剤組成物（イ）を、内容物の吐出手段を備えた吐出容器（ロ）に収納した液体漂白剤物品であって、
前記吐出容器（ロ）において構成部材同士が摺動する面と、前記吐出容器（ロ）において嵌合する構成部材の少なくとも一面とに、（Ａ）下記一般式（１）で表される長鎖アル
キル変性シリコーン及び／又は（Ｂ）下記一般式（２）で表される長鎖アルキルアラルキル共変性シリコーンが塗布されている液体漂白剤物品に関する。
【０００８】
【化５】
2006299231.tif 000002
【０００９】
（式中、Ｒは炭素数１〜７の１価炭化水素基、Ｒ1は炭素数８〜２０のアルキル基、Ａは
Ｒ又はＲ1で表される基、ｎ／ｍは１〜５０である。）
【００１０】
【化６】
2006299231.tif 000003
【００１１】
（式中、Ｒは炭素数１〜７の１価炭化水素基、Ｒ1は炭素数８〜２０のアルキル基、Ｒ2は炭素数８〜２０のアラルキル基、ＢはＲ、Ｒ1又はＲ2で表される基、（ｐ＋ｑ）／ｒは１〜５０である。）
【００１２】
また、本発明は、（ａ）過酸化水素〔以下、（ａ）成分という〕、（ｂ）界面活性剤〔以下、（ｂ）成分という〕、及び（ｃ）水〔以下、（ｃ）成分という〕を含有する液体漂白剤組成物（イ）を収納、吐出するための、吐出手段を備えた吐出容器（ロ）であって、
前記吐出容器（ロ）において構成部材同士が摺動する面と、前記吐出容器（ロ）において嵌合する構成部材の少なくとも一面とに、（Ａ）前記一般式（１）で表される長鎖アルキル変性シリコーン及び／又は（Ｂ）前記一般式（２）で表される長鎖アルキルアラルキル共変性シリコーンが塗布されている吐出容器に関する。
【００１３】
本発明の好ましい態様として以下のものが挙げられる。
（ｉ）前記（ｂ）界面活性剤の内、非イオン界面活性剤が５０質量％以上である、上記本発明の液体漂白剤物品
（ii）前記（ａ）過酸化水素／（ｂ）界面活性剤の質量比が３／１〜１／５である、上記本発明の液体漂白剤物品
（iii）前記液体漂白剤組成物（イ）の２０℃における粘度が３〜１００ｍＰａ・ｓであ
る、上記本発明の液体漂白剤物品
（iv）前記液体漂白剤組成物（イ）の２０℃におけるｐＨが７以下である、上記本発明の液体漂白剤物品、
（ｖ）前記吐出容器（ロ）の吐出手段がトリガー式スプレイヤーである、上記本発明の液体漂白剤物品
（vi）前記吐出容器（ロ）において構成部材同士が摺動する面と、前記吐出容器（ロ）において嵌合する構成部材の少なくとも一面とが、共に、前記吐出手段に存在する、上記本発明の液体漂白剤物品
（vii）前記吐出容器（ロ）において構成部材同士が摺動する面が、吐出操作に伴い摺動
する構成部材の面に存在する、上記本発明の液体漂白剤物品。
【発明の効果】
【００１４】
本発明により、使用時の良好な摺動性を長期間維持し、液体漂白剤組成物を安定して吐出させることが可能な液体漂白剤物品、及び吐出容器が得られる。
【発明を実施するための最良の形態】
【００１５】
＜液体漂白剤組成物（イ）＞
本発明に係わる液体漂白剤組成物（イ）は、（ａ）過酸化水素、（ｂ）界面活性剤、及び（ｃ）水を含有する。
【００１６】
本発明に係わる液体漂白剤組成物（イ）の２０℃におけるｐＨは、安定性の点で、好ましくは７以下、より好ましくは１〜６．５、更に好ましくは２〜５、特に好ましくは２〜４である。このようなｐＨに調整するためのｐＨ調整剤としては塩酸、硫酸などの無機酸、もしくはクエン酸、コハク酸、リンゴ酸、フマル酸、酒石酸、マロン酸、マレイン酸などの有機酸などの酸剤、又は水酸化ナトリウム、水酸化カリウム、アンモニア及びその誘導体、アミン塩（モノエタノールアミンやジエタノールアミン、トリエタノールアミンなど）、炭酸ナトリウム、炭酸カリウムなどのアルカリ剤を、単独もしくは複合して用いることが好ましく、特に塩酸、硫酸から選ばれる酸剤又は水酸化ナトリウム、水酸化カリウムから選ばれるアルカリ剤を用いることが好ましい。
【００１７】
また、本発明に係わる液体漂白剤組成物（イ）は、２０℃における粘度が３〜１００ｍＰａ・ｓ、更に４〜６０ｍＰａ・ｓの範囲であることが、吐出性の点、特に好ましい泡状物として吐出する点で好適である。このような粘度に調整するために本発明では粘度調整剤を配合することができる。粘度調整剤としては、（１）炭素数１〜３のアルキル基、もしくはヒドロキシ基が１〜３個置換していてもよいベンゼンスルホン酸、（２）重量平均分子量３０００〜１０００００のポリエチレングリコールもしくはポリプロピレングリコール、（３）キサンタンガム、グアガム、及びカルボキシメチルセルロースから選ばれる糖系高分子化合物、（４）炭素数１２〜２０、好ましくは１４〜１８のアルキル基もしくはアルケニル基と平均付加モル数が６０〜２００、好ましくは１００〜２００のポリオキシエチレン鎖とを有する非イオン性物質、又は（５）該（４）の非イオン性物質とビニルシクロヘキセンジエポキシド等のジエポキシ化合物との反応生成物を用いることができる。このような粘度調整剤の比率は液体漂白剤組成物（イ）中０〜１０質量％、更に０．０１〜５質量％が好適である。
【００１８】
〔（ａ）成分〕
本発明に係わる液体漂白剤組成物（イ）は、（ａ）成分として過酸化水素を含有する。好ましくは（ａ）成分を１〜６質量％、より好ましくは１〜５質量％、特に好ましくは１．５〜４．５質量％含有する。このような範囲において優れた漂白効果、安全性、摺動性の長期間維持を得ることができる。
【００１９】
〔（ｂ）成分〕
本発明に係わる液体漂白剤組成物（イ）は、（ｂ）成分として界面活性剤を含有する。好ましくは（ｂ）成分を１〜２０質量％、より好ましくは２〜１８質量％、特に好ましくは３〜１５質量％含有する。このような範囲において優れた漂白効果、摺動性の長期間維持を得ることができる。
【００２０】
優れた漂白効果、摺動性の長期間維持の点で、（ａ）過酸化水素／（ｂ）界面活性剤の質量比は３／１〜１／１０が好ましく、２／１〜１／８がより好ましく、１／１〜１／５が更に好ましい。
【００２１】
（ｂ）成分としては、アルキルグリコシド、ポリオキシエチレンアルキルエーテル、ソルビタン脂肪酸エステル、ポリオキシエチレンソルビタン脂肪酸エステル、ポリオキシエチレン脂肪酸エステル、オキシエチレンオキシプロピレンブロックポリマー（プルロニック）、脂肪酸モノグリセライド、及びアミンオキサイド等の非イオン界面活性剤；石鹸、アルキル硫酸塩、アルキルベンゼンスルホン酸塩、ポリオキシエチレンアルキル硫酸エステル塩、スルホコハク酸ジエステル塩等の陰イオン界面活性剤；モノまたはジアルキルアミン及びそのポリオキシエチレン付加物、モノまたはジ長鎖アルキル第４級アンモニウム塩等の陽イオン界面活性剤；カルボベタイン、スルホベタイン、ヒドロキシスルホベタイン等の両性界面活性剤が挙げられる。
【００２２】
漂白効果、安定性、摺動性の長期間維持の点で、（ｂ）成分中の非イオン界面活性剤は５０質量％以上が好ましく、６０質量％以上がより好ましく、７０質量％以上が更に好ましく、８０質量％以上が特に好ましい。
【００２３】
良好なスプレー特性を得る点で、陰イオン界面活性剤を液体漂白剤組成物（イ）中に０．１〜５質量％含有することが好ましく、０．３〜４質量％がより好ましく、０．５〜３質量％が更に好ましく、０．６〜２．５質量％が特に好ましい。
【００２４】
〔（ｃ）成分〕
本発明に係わる液体漂白剤組成物（イ）は、（ｃ）成分として水を含有する。水は、微量に水に溶解している金属を除去したイオン交換水又は蒸留水が貯蔵安定性の点から好適である。（ｃ）成分の液体漂白剤組成物（イ）中の含有量は、吐出性の点で好ましくは７０〜９８質量％、より好ましくは８０〜９５質量％である。
【００２５】
〔その他の成分〕
本発明に係わる液体漂白剤組成物（イ）は、漂白効果を向上させる目的から（ｄ）成分として漂白活性化剤を含有することが好ましく、組成物中の含有量は０．１〜５質量％がより好ましく、０．２〜３質量％が更に好ましく、０．４〜１質量％が特に好ましい。
【００２６】
（ｄ）成分としては、アルカノイルオキシベンゼン型漂白活性化剤が好ましく、特に炭素数８〜１４、好ましくは８〜１３のアルカノイル基を有するアルカノイルオキシベンゼンスルホン酸もしくは炭素数８〜１４、好ましくは８〜１３のアルカノイル基を有するアルカノイルオキシベンゼンカルボン酸又はこれらの塩が好ましい。より具体的に好ましい例としてはオクタノイルオキシ−ｐ−ベンゼンスルホン酸、ノナノイルオキシ−ｐ−ベンゼンスルホン酸、３，５，５−トリメチルヘキサノイルオキシ−ｐ−ベンゼンスルホン酸、デカノイルオキシ−ｐ−ベンゼンスルホン酸、ドデカノイルオキシ−ｐ−ベンゼンスルホン酸、オクタノイルオキシ−ｏ−又は−ｐ−ベンゼンカルボン酸、ノナノイルオキシ−ｏ−又は−ｐ−ベンゼンカルボン酸、３，５，５−トリメチルヘキサノイルオキシ−ｏ−又は−ｐ−ベンゼンカルボン酸、デカノイルオキシ−ｏ−又は−ｐ−ベンゼンカルボン酸、ドデカノイルオキシ−ｏ−又は−ｐ−ベンゼンカルボン酸、あるいはこれらの塩が挙げられる。塩としてはナトリウム塩、カリウム塩、マグネシウム塩が好ましく、特にナトリウム塩が溶解性の点から好ましい。
【００２７】
これらの中でも特にノナノイルオキシ−ｐ−ベンゼンスルホン酸、デカノイルオキシ−ｐ−ベンゼンカルボン酸、ドデカノイルオキシ−ｐ−ベンゼンスルホン酸又はこれらの塩が漂白効果の点から好ましい。
【００２８】
本発明に係わる液体漂白剤組成物（イ）は、漂白効果を高める目的から（ｅ）成分として分散剤を含有することが好ましく、組成物中の含有量は０．０５〜１４質量％がより好ましく、０．１〜８質量％が更に好ましい。特に、重量平均分子量５千〜４万、好ましく
は５千〜１万のポリアクリル酸もしくはその塩又はポリメタクリル酸もしくはその塩、重量平均分子量１万〜１０万、好ましくは３万〜７万のアクリル酸とマレイン酸とのコポリマーもしくはその塩から選ばれるカルボン酸系ポリマー、あるいは重量平均分子量４千〜２万、好ましくは５千〜１万のポリエチレングリコールから選ばれる非イオン性ポリマーが好ましい。
【００２９】
本発明に係わる液体漂白剤組成物（イ）は、漂白効果を高める目的で（ｆ）成分として溶剤を含有することが好ましく、組成物中の含有量は０．０５〜３質量％がより好ましく、０．１〜２質量％が更に好ましい。
【００３０】
（ｆ）成分としては（ｆ１）炭素数１〜５の１価アルコール、（ｆ２）炭素数２〜１２の多価アルコール、（ｆ３）下記の一般式（６）で表される化合物、（ｆ４）下記の一般式（７）で表される化合物、（ｆ５）下記の一般式（８）で表される化合物が好適である。
【００３１】
【化７】
2006299231.tif 000004
【００３２】
〔式中、Ｒ14及びＲ15は、それぞれ水素原子、炭素数１〜６のアルキル基、フェニル基又はベンジル基を示すが、Ｒ14及びＲ15の双方が水素原子となる場合を除く。ｅは０〜１０の数を、ｆは０〜１０の数を示すが、ｅ及びｆの双方が０である場合を除く。Ｒ16及びＲ17は、それぞれ炭素数１〜３のアルキル基を示す。Ｒ18は炭素数１〜８のアルキル基を示す。〕
【００３３】
（ｆ１）の炭素数１〜５の１価アルコールとしては、エタノール、プロピルアルコール、イソプロピルアルコール等が挙げられる。これらの低級アルコールを配合することにより低温における系の安定性を更に向上させることができる。
【００３４】
（ｆ２）の炭素数２〜１２の多価アルコールとしては、イソプレングリコール、２，２，４−トリメチル−１，３−ペンタンジオール、１，８−オクタンジオール、１，９−ノナンジオール、エチレングリコール、プロピレングリコール、ジエチレングリコール、ジプロピレングリコール、グリセリン等が挙げられる。
【００３５】
（ｆ３）の化合物は、一般式（６）において、Ｒ14及びＲ15が、それぞれアルキル基である場合の炭素数は１〜４が特に好ましい。また、一般式（６）中、ＥＯ及びプロピレンオキシドの平均付加モル数のｅ及びｆは、それぞれ０〜１０の数である（ｅ及びｆの双方
が０である場合を除く）が、これらの付加順序は特に限定されず、ランダム付加したものであってもよい。（ｆ３）の化合物の具体例としては、エチレングリコールモノブチルエーテル、ジプロピレングリコールジメチルエーテル、ジエチレングリコールモノエチルエーテル、ジエチレングリコールモノブチルエーテル、プロピレングリコールモノメチルエーテル、プロピレングリコールモノブチルエーテル、プロピレングリコールモノエチルエーテル、プロピレングリコールジメチルエーテル、ポリオキシエチレン（ｐ＝２〜３）ポリオキシプロピレン（ｐ＝２〜３）グリコールジメチルエーテル（ｐは平均付加モル数を示す、以下同様）、ポリオキシエチレン（ｐ＝３）グリコールフェニルエーテル、フェニルカルビトール、フェニルセロソルブ、ベンジルカルビトール等が挙げられる。このうち、洗浄力及び使用感の点から、プロピレングリコールモノメチルエーテル、ジエチレングリコールモノブチルエーテル、又はポリオキシエチレン（ｐ＝１〜４）グリコールモノフェニルエーテルが好ましい。
【００３６】
また、（ｆ４）の化合物としては、１，３−ジメチル−２−イミダゾリジノン、又は１，３−ジエチル−２−イミダゾリジノンが好適なものとして例示され、（ｆ５）の化合物としてはアルキルグリセリルエーテル化合物が挙げられ、好ましくは一般式（８）中のＲ18が炭素数３〜８のアルキル基の化合物である。
【００３７】
これらのなかでも本発明の性質を満たすために（ｆ１）、（ｆ２）、（ｆ３）、又は（ｆ５）の水溶性溶剤が好ましく、特にエタノール、イソプロピルアルコール、エチレングリコール、プロピレングリコール、ジエチレングリコール、ジプロピレングリコール、グリセリン、イソプレングリコール、プロピレングリコールモノメチルエーテル、プロピレングリコールモノエチルエーテル、ペンチルグリセリルエーテル、オクチルグリセリルエーテル、及びポリオキシエチレン（ｐ＝１〜４）グリコールモノフェニルエーテルから選ばれる溶剤が好ましい。
【００３８】
本発明に係わる液体漂白剤組成物（イ）は、漂白効果を向上させる目的から（ｇ）成分として金属イオン封鎖剤を含有することが好ましく、組成物中の含有量は０．００５〜５質量％がより好ましく、０．０１〜２質量％が更に好ましい。
【００３９】
本発明に用いられる（ｇ）成分としては、（ｇ１）フィチン酸等のリン酸系化合物又はこれらのアルカリ金属塩もしくはアルカノールアミン塩、（ｇ２）エタン−1,1−ジホス
ホン酸、エタン−1,1,2−トリホスホン酸、エタン−1−ヒドロキシ−1,1−ジホスホン酸
およびその誘導体、エタンヒドロキシ−1,1,2−トリホスホン酸、エタン−1,2−ジカルボキシ−1,2−ジホスホン酸、メタンヒドロキシホスホン酸等のホスホン酸又はこれらのア
ルカリ金属塩もしくはアルカノールアミン塩、（ｇ３）２−ホスホノブタン−1,2−ジカ
ルボン酸、１−ホスホノブタン−2,3,4−トリカルボン酸、α−メチルホスホノコハク酸
等のホスホノカルボン酸又はこれらのアルカリ金属塩もしくはアルカノールアミン塩、（ｇ４）アスパラギン酸、グルタミン酸、グリシン等のアミノ酸又はこれらのアルカリ金属塩もしくはアルカノールアミン塩、（ｇ５）ニトリロ三酢酸、イミノ二酢酸、エチレンジアミン四酢酸、ジエチレントリアミン五酢酸、グリコールエーテルジアミン四酢酸、ヒドロキシエチルイミノ二酢酸、トリエチレンテトラミン六酢酸、ジエンコル酸等のアミノポリ酢酸又はこれらのアルカリ金属塩もしくはアルカノールアミン塩、（ｇ６）ジグリコール酸、オキシジコハク酸、カルボキシメチルオキシコハク酸、クエン酸、乳酸、酒石酸、シュウ酸、リンゴ酸、オキシジコハク酸、グルコン酸、カルボキシメチルコハク酸、カルボキシメチル酒石酸などの有機酸又はこれらのアルカリ金属塩もしくはアルカノールアミン塩、（ｇ７）ゼオライトＡに代表されるアルミノケイ酸のアルカリ金属塩又はアルカノールアミン塩、（ｇ８）アミノポリ（メチレンホスホン酸）もしくはそのアルカリ金属塩もしくはアルカノールアミン塩、又はポリエチレンポリアミンポリ（メチレンホスホン酸）もしくはそのアルカリ金属塩もしくはアルカノールアミン塩を挙げることができる。
【００４０】
これらの中で上記（ｇ２）、（ｇ５）、（ｇ６）および（ｇ７）からなる群より選ばれる少なくとも１種が好ましく、上記（ｇ２）の群より選ばれる少なくとも１種がさらに好ましい。
【００４１】
本発明に係わる液体漂白剤組成物（イ）は、漂白繊維に対する漂白効果を増すために蛍光増白剤として、チノパールＣＢＳ（チバ・ガイギー社製）、チノパールＳＷＮ（チバ・ガイギー社製）や、カラー・インデックス蛍光増白剤２８、４０、６１、７１等のような蛍光増白剤や、漂白性能を向上させるために酵素（セルラーゼ、アミラーゼ、プロテアーゼ、リパーゼ）することができる。また染料や顔料のような着色剤、香料、シリコーン類、殺菌剤、紫外線吸収剤等の種々の微量添加物を適量配合してもよい。
【００４２】
＜吐出容器（ロ）＞
本発明に係わる吐出容器（ロ）は、液体漂白剤組成物の収納部と、該液体漂白剤組成物の吐出手段とを備える。吐出手段は使いやすさの点でトリガー式スプレイヤーが好ましい。
【００４３】
本発明に係る吐出容器（ロ）、特に吐出手段には、互いに摺動する構成部材と、嵌合により該容器（ロ）を構成する部材とが存在する。例えば、互いに摺動する構成部材としては、吐出手段のピストンとシリンダー等が挙げられる。また、嵌合により該容器（ロ）を構成する部材としては、ポンプハウジングに対する通液体等が挙げられる。
【００４４】
本発明に用いられる吐出容器（ロ）の一例を、図１〜４に基づき説明する。図１はトリガー式吐出容器を示す模式図、図２は泡吐出状態を示す模式図、図３は霧吐出状態を示す模式図、図４は吐出停止状態を示す模式図である。図１の吐出容器は、収納部の開口部に吐出手段を設け、該吐出手段に加える手動操作により、容器内容物を泡状に吐出可能としてなる吐出容器であって、吐出手段の摺動部及び嵌合部に潤滑剤として、（Ａ）前記一般式（１）で表される長鎖アルキル変性シリコーン及び／又は（Ｂ）前記一般式（２）で表される長鎖アルキルアラルキル共変性シリコーンを塗布してなるものである。
【００４５】
トリガー式吐出容器１０は、図１に示す如く、収納部１１の開口部１１Ａに螺着されるキャップ１２により吐出手段１３を固定している。
【００４６】
吐出手段１３は、ポンプハウジング１４に通液体１５を嵌合し、通液体１５の下部フランジ部１５Ａを上述のキャップ１２により上記収納部１１の開口部１１Ａに固定的に保持している。
【００４７】
通液体１５は、通液路１６の下端部に通液チューブ１７を嵌合せしめられ、通液路１６の内部にボール状入側逆止弁１８と、２連空洞部を備えた弾性体からなる伸縮自在の出側逆止弁１９とを有している。
【００４８】
そして、通液体１５は、入側逆止弁１８と出側逆止弁１９の間の通液路１６を後述するポンプ室２６に連通する連通路２１を備えるとともに、出側逆止弁１９の弁体１９Ａにより出側の通液路１６を後述する吐出路２９に連通する連通路２２を備えている。
【００４９】
入側逆止弁１８は、(a) 自由状態において入側弁座２３Ａに着座して通液路１６を閉じ、(b) ポンプ室２６の吸引圧によって通液路１６を開き収納部１１内の内容物をポンプ室２６側に導入可能とする。出側逆止弁１９は、２連空洞部の上部を通液路１６の上端部に固定されており、(a) 自由状態において２連空洞部の弾発力により弁体１９Ａを出側弁座２３Ｂに着座させて通液路１６を閉じ、(b) ポンプ室２６の吐出圧によって通液路１６を
開きポンプ室２６側の内容物を吐出路２９側に排出可能とする。
【００５０】
吐出手段１３は、ポンプハウジング１４の前面側下部にトリガー２５を有し、ポンプハウジング１４内における通液体１５の前部にポンプ室２６を形成し、ポンプ室２６に摺動可能に挿入されるピストン２７をトリガー２５によって加圧操作可能としている。２８はピストン２７をトリガー２５の側に弾発するばねである。ポンプ室２６は前述の如く、連通路２１を介して、通液体１５の通液路１６に連通している。トリガー２５の加圧操作によりピストン２７はポンプ室２６を圧縮し、ポンプ室２６に前述の吐出圧を生成する。また、トリガー２５の加圧操作解除によりピストン２７はポンプ室２６を拡張し、ポンプ室２６に前述の吸引圧を生成する。
【００５１】
吐出手段１３は、ポンプハウジング１４の上部に吐出路２９を有している。吐出路２９は前述の如く、連通路２２を介して、通液体１５の通液路１６に連通している。
【００５２】
吐出容器１０は、吐出手段１３の前面部に吐出ノズル３１を装着されている。
【００５３】
吐出ノズル３１は、図２、図３、図４に示す如く、ポンプハウジング１４の前面に嵌合されているノズル取付部材３２の突出リング状支持筒部３２Ａに回動可能に係着されている。吐出ノズル３１は、支持筒部３２Ａ回りで回動し、以下の(A) 泡吐出位置、(B) 霧吐出位置、(C) 吐出停止位置のいずれかに選択的に設定可能とされる。尚、図２、図３、図４は理解をし易くするために、吐出ノズル３１を固定し、突出リング状支持筒部３２Ａ（スピン部３２Ｂ）を回動させた状態で示している。
【００５４】
(A) 泡吐出位置（図２）
吐出ノズル３１が泡吐出位置に設定されるとき、吐出ノズル３１は、ポンプハウジング１４内の吐出路２９に連なる導通路３１Ａをノズル取付部材３２のスピン部３２Ｂに設けてある泡用旋回路３３Ａに連通せしめられる。泡用旋回路３３Ａは流路面積小であり、流通液に強い旋回を付与する。
【００５５】
このとき、トリガー２５を引いて加圧操作すると、ポンプ室２６に吐出圧を生ずる結果、出側逆止弁１９が通液路１６を開き、ポンプ室２６内の内容物が通液路１６から吐出路２９を経て、吐出ノズル３１の導通路３１Ａ、スピン部３２Ｂの泡用旋回路３３Ａから強い旋回を伴って吐出ノズル３１の吐出口３１Ｂから外方に噴出する。吐出口３１Ｂから噴出するスプレー液は、強い旋回力を付与されているから霧状にて広く拡開して、吐出ノズル３１の泡形成筒３１Ｃの内周面に衝突する。泡形成筒３１Ｃの内面に衝突した霧状スプレー液の粒子は、衝突によって、破壊されて膜状になる。同時に、吐出口３１Ｂから噴出するスプレー液は、吐出ノズル３１の吐出口３１Ｂ前面に開口してある空気取入路３１Ｄからベンチュリ効果によって空気を巻き込み、結果として上述の膜状スプレー液に空気を取込ませることにて該膜状スプレー液を泡とする。これにより、吐出ノズル３１から泡状スプレー液が吐出されるものとなる。
【００５６】
(B) 霧吐出位置（図３）
吐出ノズル３１が霧吐出位置に設定されるとき、吐出ノズル３１は、導通路３１Ａをノズル取付部材３２のスピン部３２Ｂに設けてある霧用旋回路３３Ｂに連通せしめられる。霧用旋回路３３Ｂは流路面積大であり、流通液に弱い旋回を付与する。
【００５７】
このとき、トリガー２５を引いて加圧操作すると、ポンプ室２６に吐出圧を生ずる結果、出側逆止弁１９が通液路１６を開き、ポンプ室２６内の内容物が通液路１６から吐出路２９を経て、吐出ノズル３１の導通路３１Ａ、スピン部３２Ｂの霧用旋回路３３Ｂから弱い旋回を伴って吐出ノズル３１の吐出口３１Ｂから外方に噴出する。吐出口３１Ｂから噴
出するスプレー液は、弱い旋回力を付与されているのみであるから霧状にて狭く拡開し、吐出ノズル３１の泡形成筒３１Ｃの内周面に衝突することなく、その内方を霧状のまま吐出される。これにより、吐出ノズル３１から霧状スプレー液が吐出されるものとなる。
【００５８】
尚、上記(A)、(B) において、トリガー２５の加圧操作を解除すると、ポンプ室２６に
吸引圧を生ずる結果、入側逆止弁１８が通液路１６を開き、収納部１１内の内容物が通液チューブ１７から通液路１６を経て、ポンプ室２６に導入される。
【００５９】
(C) 吐出停止位置（図４）
吐出ノズル３１が吐出停止位置に設定されるとき、吐出ノズル３１は、導通路３１Ａをノズル取付部材３２のスピン部３２Ｂに設けてある閉塞部３３Ｃにて閉塞せしめられる。これにより、吐出ノズル３１は吐出停止状態となる。
【００６０】
然るに、吐出容器１０にあっては、吐出手段１３のポンプハウジング１４における通液体１５の組立嵌合部４１、ポンプハウジング１４におけるポンプ室２６内面であるピストン２７の往復動摺動部４２、ノズル取付部材３２の支持筒部３２Ａ外面である吐出ノズル３１の回動摺動部４３等に、潤滑剤として、（Ａ）前記一般式（１）で表される長鎖アルキル変性シリコーン及び／又は（Ｂ）前記一般式（２）で表される長鎖アルキルアラルキル共変性シリコーンを塗布している。
【００６１】
そして、本発明では、吐出容器（ロ）において構成部材同士が摺動する面（以下、摺動部という）と、吐出容器（ロ）において嵌合する構成部材の少なくとも一面（以下、嵌合部という）とに、（Ａ）下記一般式（１）で表される長鎖アルキル変性シリコーン〔以下、長鎖アルキル変性シリコーン（Ａ）という〕及び／又は（Ｂ）下記一般式（２）で表される長鎖アルキルアラルキル共変性シリコーン〔以下、長鎖アルキルアラルキル共変性シリコーン（Ｂ）という〕が塗布されている。本発明の吐出容器（ロ）としては、摺動部と嵌合部とが、共に、吐出手段に存在することが好ましい。また、摺動部が、吐出操作に伴い摺動する構成部材の面に存在することが好ましい。使用時の良好な摺動性を長期間維持する点で長鎖アルキル変性シリコーン（Ａ）がより好ましい。
【００６２】
【化８】
2006299231.tif 000005
【００６３】
（式中、Ｒは炭素数１〜７の１価炭化水素基、Ｒ1は炭素数８〜２０のアルキル基、Ａは
Ｒ又はＲ1で表される基、ｎ／ｍは１〜５０である。）
【００６４】
【化９】
2006299231.tif 000006
【００６５】
（式中、Ｒは炭素数１〜７の１価炭化水素基、Ｒ1は炭素数８〜２０のアルキル基、Ｒ2は炭素数８〜２０のアラルキル基、ＢはＲ、Ｒ1又はＲ2で表される基、（ｐ＋ｑ）／ｒは１〜５０である。）
【００６６】
〔長鎖アルキル変性シリコーン（Ａ）〕
上記式（１）中、Ｒは同一もしくは異種の炭素数１〜７の１価炭化水素基であり、具体的には、メチル基、エチル基、プロピル基、ブチル基、ペンチル基、ヘキシル基、ヘプチル基などの飽和炭化水素基、シクロペンチル基、シクロヘキシル基などの飽和脂環式炭化水素基、フェニル基、トリル基などの芳香族炭化水素基が例示され、特にメチル基が好ましい。
【００６７】
Ｒ1は同一もしくは異種の炭素数８〜２０のアルキル基であり、具体的には、オクチル
基、ノニル基、デシル基、ドデシル基、トリデシル基、テトラデシル基、ペンタデシル基、ヘキサデシル基、ヘプタデシル基、オクタデシル基、ノナデシル基、エイコシル基などが例示され、炭素数８〜１４が好ましく、炭素数８〜１２がより好ましく、炭素数１０が更に好ましい。
【００６８】
使用時の良好な摺動性を長期間維持する点で、ｍ、ｎは、ｎ／ｍが１〜５０となる数であり、２〜４０が好ましく、３〜３０がより好ましく、５〜２０が更に好ましい。
【００６９】
使用性、使用時の良好な摺動性を長期間維持する点で、長鎖アルキル変性シリコーン（Ａ）の粘度は、２５℃において１００〜５０００ｍｍ2／ｓが好ましく、２００〜１００
０ｍｍ2／ｓがより好ましい。
【００７０】
〔長鎖アルキルアラルキル共変性シリコーン（Ｂ）〕
上記式（２）中、Ｒは同一もしくは異種の炭素数１〜７の１価炭化水素基であり、具体的には、メチル基、エチル基、プロピル基、ブチル基、ペンチル基、ヘキシル基、ヘプチル基などの飽和炭化水素基、シクロペンチル基、シクロヘキシル基などの飽和脂環式炭化水素基、フェニル基、トリル基などの芳香族炭化水素基が例示され、特にメチル基が好ましい。
【００７１】
Ｒ1は同一もしくは異種の炭素数８〜２０のアルキル基であり、具体的には、オクチル
基、ノニル基、デシル基、ドデシル基、トリデシル基、テトラデシル基、ペンタデシル基、ヘキサデシル基、ヘプタデシル基、オクタデシル基、ノナデシル基、エイコシル基などが例示され、炭素数８〜１４が好ましく、炭素数１０〜１４がより好ましく、炭素数１２が更に好ましい。
【００７２】
Ｒ2は同一もしくは異種の炭素数８〜２０のアラルキル基であり、具体的には、ベンジ
ル基、４−メチルベンジル基、ｐ−メトキシベンジル基、ジフェニルメチル基、２−フェニルエチル基、２−フェニルプロピル基、３−フェニルプロピル基などが例示され、特に２−フェニルプロピル基が好ましい。
【００７３】
使用時の良好な摺動性を長期間維持する点で、ｐ、ｑ、ｒは、（ｐ＋ｑ）／ｒが１〜５０となる数であり、２〜４０が好ましく、３〜３０がより好ましく、５〜２０が更に好ましい。
【００７４】
使用時の良好な摺動性を長期間維持する点で、ｑ／ｐは０．５〜２０が好ましく、１〜１０がより好ましく、２〜５が更に好ましい。
【００７５】
使用性、使用時の良好な摺動性を長期間維持する点で、長鎖アルキルアラルキル共変性
シリコーン（Ｂ）の粘度は、２５℃において１００〜５０００ｍｍ2／ｓが好ましく、２
００〜１０００ｍｍ2／ｓがより好ましい。
【００７６】
本発明では、上記長鎖アルキル変性シリコーン（Ａ）及び／又は長鎖アルキルアラルキル共変性シリコーン（Ｂ）は、摺動部には０．００１〜０．１ｇ／ｃｍ2、更に０．０１
〜０．０５ｇ／ｃｍ2となるように、嵌合部０．００１〜０．１ｇ／ｃｍ2、更に０．０１〜０．０５ｇ／ｃｍ2となるように塗布することが好ましい。なお、嵌合部への塗布は、
組み立て前に構成要素の一面に塗布されていれば足りる。
【００７７】
＜液体漂白剤物品＞
本発明の液体漂白剤物品は、上記液体漂白剤組成物を、上記吐出容器に充填してなるものであり、硬質表面用漂白剤、衣料用漂白剤として用いることができる。
【００７８】
安全性、漂白性能の点で、泡状に吐出させて用いることが好ましい。特に、本発明では、「泡状」とは、対象表面に付着させたときの組成物の単位質量当りの見掛け体積が、気泡を含むことにより２倍以上となり、且つ１分経過後も２倍以上の見掛け体積を保持した状態が好ましい。また、泡状物を構成する気泡は、平均粒径１〜１００００μｍ、更に１０〜５０００μｍ、特に１００〜３０００μｍであることが好ましい。また、泡状に吐出された組成物の粘度は、２０℃で３〜１００ｍＰａ・ｓ、更に３〜８０ｍＰａ・ｓ、特に４〜６０ｍＰａ・ｓであることが好ましい。
【実施例】
【００７９】
＜液体漂白剤組成物＞
表１に示す組成物を調製した。何れも、２０℃におけるｐＨを２．５に調整した（１／１０規定硫酸水溶液及び１／１０規定水酸化ナトリウム水溶液で調整）。
【００８０】
【表１】
2006299231.tif 000007
【００８１】
表１中の成分は以下のものである。
・非イオン界面活性剤１：炭素数１０〜１４の１級アルコールにＥＯを平均８モル付加させたもの
・非イオン界面活性剤２：炭素数１２〜１４の２級アルコールにＥＯを平均７モル付加させたもの
・非イオン界面活性剤３：アルキルポリグルコシド（アルキル基の炭素数１２、グルコシド平均縮合度１．３）
・陰イオン界面活性剤１：アルキル基の炭素数１２〜１４の直鎖アルキルベンゼンスルホン酸ナトリウム
・陰イオン界面活性剤２：アルキル基の炭素数１４〜１８のα−オレフィンスルホン酸ナトリウム
・陽イオン界面活性剤１：Ｎ−ドデシル−Ｎ，Ｎ，Ｎ−トリメチルアンモニウムメチル硫酸エステル塩
・粘度調整剤：ＥＯ平均付加モル数１５０のポリオキシエチレンステアリルエーテル
【００８２】
＜吐出容器＞
吐出容器Ｎｏ．１
図１の吐出容器の摺動部及び嵌合部に、一般式（１）中のＲが炭素数１の飽和炭化水素基（メチル基）、Ｒ1が炭素数１０のアルキル基、Ａが共にメチル基、ｎ／ｍが１２で、
２５℃の粘度が５００ｍＰａ・ｓの長鎖アルキル変性シリコーンを、それぞれ０．０２g/cm2の割合で塗布した。この吐出容器は、収納部の開口部に吐出手段を設け、吐出手段に
加える手動操作により、容器内容物を泡状に吐出可能としてなる吐出容器であり、吐出手段の摺動部及び嵌合部に前記長鎖アルキル変性シリコーンオイルを塗布してなるものである。
【００８３】
吐出容器Ｎｏ．２
図１の吐出容器の摺動部及び嵌合部に、一般式（２）中のＲが炭素数１の飽和炭化水素基（メチル基）、Ｒ1が炭素数１２のアルキル基、Ｒ2が２−フェニルプロピル基、Ｂが共にエチル基、（ｐ＋ｑ）／ｒが９、ｑ／ｐが４で、２５℃の粘度が５００ｍＰａ・ｓの長鎖アルキルアラルキル共変性シリコーンを、それぞれ０．０２ｇ/cm2の割合で塗布した。
【００８４】
吐出容器Ｎｏ．３（比較例）
図１の吐出容器の摺動部及び嵌合部に、２５℃の粘度が５００ｍＰａ・ｓのジメチルシリコーンを、それぞれ０．０２g/cm2の割合で塗布した。
【００８５】
吐出容器Ｎｏ．４（比較例）
図１の吐出容器の摺動部及び嵌合部に、一般式（１）中のＲが炭素数１の飽和炭化水素基（メチル基）、Ｒ1が炭素数１０のアルキル基、Ａが共にメチル基、ｎ／ｍが８０で、
２５℃の粘度が５００ｍＰａ・ｓの長鎖アルキル変性シリコーンを、それぞれ０．０２g/cm2の割合で塗布した。
【００８６】
吐出容器Ｎｏ．５（比較例）
図１の吐出容器の摺動部及び嵌合部に、一般式（１）中のＲが炭素数１の飽和炭化水素基（メチル基）、Ｒ1が炭素数１０のアルキル基、Ａが共にメチル基、ｎ／ｍが０．４で
、２５℃の粘度が５００ｍＰａ・ｓの長鎖アルキル変性シリコーンを、それぞれ０．０２g/cm2の割合で塗布した。
【００８７】
実施例１
表１の液体漂白剤組成物を表２の組み合わせで吐出容器に２００ｍｌ収納し、２５℃に保存し、１日（２４時間ごとに）１０回液体漂白剤組成物を吐出させ、長期使用時のトリ
ガーの摺動性を調べた。結果を表２に示す。各組み合わせについて、それぞれ１０サンプルの試験を行い、表２に示すスプレー操作の累計回数における異常のなかったサンプル数を表２に示した。
【００８８】
【表２】
2006299231.tif 000008
【図面の簡単な説明】
【００８９】
【図１】トリガー式吐出容器を示す模式図である。
【図２】泡吐出状態を示す模式図である。
【図３】霧吐出状態を示す模式図である。
【図４】吐出停止状態を示す模式図である。
【符号の説明】
【００９０】
１０  吐出容器
１１  収納部
１３  吐出手段
４１  嵌合部
４２、４３  摺動部
【図１】
2006299231.tif 000013
【図２】
2006299231.tif 000014
【図３】
2006299231.tif 000015
【図４】
2006299231.tif 000016